(57)【要約】【課題】下側にリム部を備えた収納物を安定的に保持し、それから外れることを確実に防止することのできる収納物保持用中枠を提供する。【解決手段】  中枠１１は前側壁１２、後側壁１３、上側壁１４、下側壁１５を供え、前側壁には開口部１６が形成され、それを入口とする収納凹所２３が前後壁の間に画成される。後側壁の一部を切り起して形成された支持片２４が前側壁側へ向かって斜め上方へ延びて、その先端部２６は開口部を通って前側壁の前方へ延びる。支持片はその途中の位置で、開口部の下側縁部により支持される。先端部２６が容器の１の底部に当接し、前側壁と後側壁との間で容器のリブ部６が支持片に支持される。【選択図】  図３
2014069819.tif 000002
【特許請求の範囲】
【請求項１】
底部よりも下方へ延びた円形のリム部を備えた収納物を保持する収納物保持用の中枠において、前記中枠は、前側壁と後側壁と前記前側壁と後側壁とに両端において繋がる上下壁とを備え、前記前側壁には前記容器の形状に略対応した開口部が形成されて、該開口部を入口として前記前側壁と後側壁との間に前記収納物の少なくとも一部分を収受する収納凹所が形成され、前記開口部の下側縁部には、所定の間隔で２つの凹部が形成され、前記中枠はさらに、基部において前記後側壁に連結されて前記前側壁側へ延び、先端が前記開口部を通って前記前側壁から突出する支持片を備え、前記支持片は、前記基部から先端側へ斜め上方へと傾斜しており、前記先端と基部との間の位置で前記開口部の下側縁部により支持されることを特徴とする、収納物保持用中枠。
【請求項２】
請求項１記載の収納物保持用中枠において、前記下側縁部の２つの凹所は、前記収納物のリム部の直径に対応する距離だけ隔てて形成され、円周方向２箇所において前記リム部を収受可能になっていることを特徴とする、収納物保持用中枠。
【請求項３】
請求項１または２に記載の収納物保持用中枠において、前記中枠は厚紙で形成され、前記支持片は、前記後側壁の一部を切り起して形成されていることを特徴とする、収納物保持用中枠。
【請求項４】
請求項１乃至３のいずれか１に記載の収納物保持用中枠において、前記支持片の先端部は保持された収納物の前側半部分における底部に当接し、前記前側壁と後側壁との間において前記収納物の後側半部分の前記リム部が部分的に前記支持片により支持されることを特徴とする、収納物保持用中枠。
【請求項５】
請求項１乃至４のいずれか１に記載の収納物保持用中枠において、前記支持片の先端部は、前記収納物の前記リム部の内周の半径に略等しい半径を有する半円形状に形成され、前記先端部は、前記リブ部の内周に略達する位置まで延びていることを特徴とする、収納物保持用中枠。
【請求項６】
請求項１乃至５のいずれか１に記載の収納物保持用中枠において、前記上側壁及び下側壁より前記前側壁の前方へ突出するスペーサ片を備えていることを特徴とする、収納物保持用中枠。
【発明の詳細な説明】
【技術分野】
【０００１】
本願発明は包装箱に収納物を収納する際に使用する収納物保持用中枠に関する。さらに詳細に言えば、収納物の下部に収納物の底部より下方へ突出したリム部を備えた収納物を立てた状態で支持して保持する中枠に関する。
【背景技術】
【０００２】
従来、例えば化粧品など各種の品物が詰められた容器（商品）を包装箱に収納物として収納する際に、その収納物が包装箱内で移動したりしないように保持する中枠が使用されることがある。すなわち、中枠に収納物の形状に近い形の収納凹部を形成し、その収納凹部に収納物の約半部分を格納し、その状態で包装箱に格納する。この包装箱に収納する際に収納物が中枠から外れてしまっては作業がやりにくい。また、化粧品などを店頭に陳列する場合に購買者が中の収納物を確認できるように包装箱の前側壁の一部が透明体で構成されている場合があり、その際、見栄えなどの関係で、内部の収納物と包装箱の前側壁との間に空スペースが設けられることが多い。その場合、中枠に保持された収納物が陳列中に或いは購買者が手にとって見ている時にその空スペース側へ転がりだしたりしては、購買者が収納物の確認を行うのに不便である。
【０００３】
特開平７−９６９３３号には、缶詰などを包装箱に収納する際に使用する包装用台紙が開示されている。その台紙においては、缶詰を収納する凹部空間を２枚の側壁部と２枚のフラップとを主面平面部に対して折り曲げることにより画成し、そのフラップが斜めに折り曲げられた状態で、缶詰の上下端に隆起した形状にされたリム部に囲まれた浅い凹部に係合させ、それにより缶詰が台紙からこぼれ落ちるのを防止している。
【０００４】
しかし上記のような構成においては、缶詰の内容物がきわめて軽い場合はよいが、内容物が重い場合には、下側のフラップが下側へ押し曲げられてしまい、それにより上側のフラップが凹部から外れてしまい、缶詰が台紙からこぼれ落ちてしまう可能性がある。
【先行技術文献】
【特許文献】
【０００５】
【特許文献１】特開２００７−９６９３３号公報
【発明の概要】
【発明が解決しようとする課題】
【０００６】
本願発明は上記した問題点に鑑みなされたものであり、下側にリム部を備えた収納物を立てた状態で保持するのに使用する中枠であって、収納物を安定的に保持し、それから外れることを確実に防止することのできる収納物保持用中枠を提供することをその課題とする。
【課題を解決するための手段】
【０００７】
上記課題を解決するために本願発明は以下の構成を備えた収納物保持用中枠を提供する。すなわちその中枠は、底部よりも下方へ延びた円形のリム部を備えた収納物を保持する収納物保持用の中枠である。そしてその中枠は、前側壁と後側壁と前記前側壁と後側壁とに両端において繋がる上下壁とを備え、前記前側壁には前記容器の形状に略対応した開口部が形成されて、該開口部を入口として前記前側壁と後側壁との間に前記収納物の少なくとも一部分を収受する収納凹所が形成され、前記開口部の下側縁部には、所定の間隔で２つの凹部が形成されている。中枠はさらに、基部において前記後側壁に連結されて前記前側壁側へ延び、先端が前記開口部を通って前記前側壁から突出する支持片を備え、その支持片は、前記基部から先端側へ斜め上方へと傾斜しており、前記先端と基部との間の位置で前記開口部の下側縁部により支持される。
前記下側縁部の２つの凹所は、前記収納物のリム部の直径に対応する距離だけ隔てて形成され、円周方向２箇所において前記リム部を収受可能に形成することができる。
前記中枠は厚紙で形成することができ、前記支持片は、前記後側壁の一部を切り起して形成することができる。
前記支持片の先端部は保持された収納物の前側半部分における底部に当接し、前記前側壁と後側壁との間において前記収納物の後側半部分の前記リム部が部分的に前記支持片により支持されるように構成することができる。
前記上側壁及び下側壁より前記前側壁の前方へ突出するスペーサ片を備えることができる。
【発明の効果】
【０００８】
上記の如き構成を備えた中枠を使用した場合、支持片の先端が収納物のリム部の内側において収納物の底部に当接し、前側壁と後側壁との間で収納物のリム部の一部が支持片により支持されるようになる。支持片は収納凹所の下側縁部により支持されており、下方へ移動することが出来ないので、強制的に中枠を変形させなければ中枠に保持された収納物は収納凹所から外れることが無い。
【図面の簡単な説明】
【０００９】
【図１】本願発明の中枠を使用する収納物の例である容器の一部切欠正面図である。
【図２】中枠に容器を保持させた状態の正面図である。
【図３】図２のA−A線断面図である。
【図４】図３のB−B線断面図である。
【図５】中枠の背面図である。
【図６】収納凹所の構成を示す説明図である。
【発明を実施するための形態】
【００１０】
以下図面を参照しながら本願発明の実施の形態について収納物を横断面円形の容器を例として説明する。図１は本願発明の中枠によって保持される容器の一例を示す正面図で、一部を切り欠いて示してある。容器１は横断面円形で、本体２と蓋３とからなる。本体２はその周壁が二重構造になっており、同心状に形成された内側壁４と外側壁５とで構成されている。外側壁５の下端部は、収納部７の底部８より下方へ突出して、内側に円形の凹所９を画成する円環状のリム部６を形成している。なお、本願発明の中枠を使用する容器としては、図示のような二重壁の構造は必須ではなく、収納部の底部より下方へ延びるリム部が形成され、それにより、そのリム部の内側に凹所が画成されていればよい。
【００１１】
次に本願発明の中枠について図２以下を参照して説明する。図２は容器１を保持した状態の中枠１１の正面図であり、図３は図２のA−A線断面図であり、この図３には容器１を保持した状態で中枠１１が格納される包装箱Hも２点鎖線で示してある。図４は図３のB−B線断面図であり、図５は背面図である。
【００１２】
中枠１１は一枚の厚紙で構成され、前側壁１２と後側壁１３と、前側壁１２と後側壁１３のそれぞれの上側端部の間と下側端部の間を繋いでいる上側壁１４と下側壁１５とを備えている。なお、この中枠１１は一枚の厚紙を予め定められて位置で折り曲げて形成されており、図５の背面図に示されるように、後側壁１３の上部側１３Aに設けられた挿入片１３aを下部側１３Bのスリット１３ｂに挿入して掛け止めすることにより、閉じた形状が維持されるようになっている。この構造は公知であるので詳細の説明は省略する。
【００１３】
前側壁１２の略中央に容器１の形状に略対応した開口部１６が画成されている。この開口部１６について図６を参照して説明すると、前側壁１２の開口部１６となる部分に図６に示すように実線で示される切り込みを設け、破線で示される部分に折り曲げ線を設けて左側及び右側折り曲げ片１７，１８（図４参照）と、上側折り曲げ片１９（図２参照）と、下側縁部２０と、その下側縁部２０の両端部に形成された凹部２１，２２とが形成され、これら折り曲げ片１７，１８，１９が後側壁１３側へ略直角に折り曲げられている（図２参照）。これにより、開口部１６を入口とする、容器１の略半部分が収納される収納凹部２３が前側壁１２と後側壁１３との間に画成されている。
【００１４】
一方、後側壁１３の下部には、図５に示されるように上側に開いた「コ」字状の切込み２４aが入れられてその基部２５で折り曲げ可能とされた支持片２４が形成される。この支持片２４は、その折り曲げの基部２５の位置が、開口部１６の下側縁部２０よりも低い位置になっている。そしてその支持片２４の長さは前側壁１２と後側壁１３との間の距離よりも長くなっている。従って、この支持片２４を折り曲げてその先端部２６側を開口部１６を通り越して前側壁１２の前側へ突出した状態にすると、支持片２４は先端部２６と基部２５との間の位置で下側縁部２０により支持されることとなり、先端部２６が基部２５より上側に位置して傾斜した状態となる。そして支持片２４はその先端部２６で容器１の底部８を支持し、下側縁部２０により支持される位置と基部２５との間の、図３において符合Pで示される位置（図２で見た場合、略左右対称な２箇所の位置）で容器のリブ部６を支持することとなる。なお、支持片２４の先端部２６を図示の例より長くして、収納物１のリブ部６の内周面に略当たる位置まで延びるようにしても良い。その場合、先端部２６の先端形状を収納物１の下部の凹所９の半径或いはリム部６の内周の半径に略等しい半径を有する半円状に形成するとよい。
【００１５】
図示のように中枠１１に保持された容器１は、中枠１１が傾いたりしても中枠から外れ落ちることがない。すなわち、図３で見た場合に、容器１が中枠１１から外れるためには図３において容器１が相対的に右側へ移動し、その下側のリム部６が支持片２４の先端２６を乗り越えなければならない。しかし、上記の通り支持片２４により支持された状態では、容器１の蓋３の上面と開口部１６の上側折り曲げ片１９の基部１９aとの間の隙間は短くなっている。一方で、容器１が右側へ移動しようとしても、支持片２４がその途中の位置で下側縁部２０により支持されているために、リム部６によって支持片２４を下側へ移動させることが出来ない。従って容器１のリム部６が支持片２４の先端部２６を乗り越えることができないので、容器１が中枠１１から外れることが防止される。
【００１６】
符号２７，２８は、前側壁１１の上部と下部においてそれぞれ上側に開いた切込み２７a或いは下側に開いた切込み２８aを設け、前側壁１１に対して上側壁１４、下側壁１５を折り曲げることにより前側壁１１の前方へ突出して延びるようになっている上側スペーサ部と下側スペーサ部である。図３に示されるように、容器１を保持した中枠１１が包装箱H内に格納された時に、包装箱H内で中枠１１の前側に空スペースを確保すると共に、包装箱H内で中枠１１が移動するのを防止する。
【００１７】
以下に中枠１１の組立て手順及び容器１の中枠１１への取り付け手順について説明する。先ず前側壁１２に対して上側壁１４、下側壁１５を折り曲げ、次いで後側壁１３の上部１３a、下部１３ｂをそれぞれ上側壁１４、下側壁１５に対して折り曲げる。そして後側壁上部側１３Aの挿入片１３aを後側壁下部側１３Bの切り込み１３ｂに挿入して掛け止めする。そして、開口部１６において左右折り曲げ片１７，１８、上側折り曲げ半１９を折り曲げ、収納凹部２３を画成する。次に容器１を蓋３側を若干手前に傾けながら収納凹部２３内にその約半部分を挿入し、リブ部６が下側縁部２０の両端に形成された凹部２２，２３に嵌るようにする。最後に支持片２４を折り曲げて、支持片２４或いは前側壁１２の弾性変形を利用してその先端部２６側を開口部１６を通って前側壁１２の前方へ突出させる。これにより、前述のように支持片２４が容器１の底部８とリム部６とを支持し、一方、支持片２４は前側壁１２の下側縁部２０によって支持された状態になり、容器１は中枠１１に離脱しない状態で取付けられる。この状態で容器１を保持した中枠を包装箱H内へ格納する。このとき上下のスペーサ部２７、２８は前側壁１２の前方へ延びており、包装箱内へ中枠を挿入する際のガイドになると共に、前述のとおり前側壁１２の前側に空きスペースを確保する。なお、上記と異なる手順で中枠の組立、容器の取付けを行うことも可能である。例えば、先に支持片を折り曲げて下側縁部で支持し、その後中枠の弾性変形を利用して容器を取付けて保持させることも可能である。
【００１８】
なお、先の支持片２４についての説明において、支持片２４の先端部２６を図示の例より長くして、収納物１のリブ部６の内周面に略当たる位置まで延びるようしても良い。その場合、先端部２６の先端形状を収納物１の下部の凹所９の半径或いはリム部６の内周の半径に略等しい半径を有する半円状に形成するとよいと述べたが、これにより、例えば包装箱Hに上下方向の力が作用し、その力が中枠１１に作用して中枠１１が上下方向で圧縮され、図３において高さ方向中間部分が外側に拡がった樽形に変形しても、支持片２４が開口部１６の下側縁部２０から外れてしまうことが無いという効果が得られる。従って、支持片２４の長さは必ずしもリム部の内周面に当たる位置まで延びる長さでなくてもよく、その場合、先端部２６の形状も必ずしも凹所９の半径或いはリム部の内周の半径に等しい半円形である必要もない。上記した効果が得られる長さ及び形状であれば良い。
【図１】
2014069819.tif 000003
【図２】
2014069819.tif 000004
【図３】
2014069819.tif 000005
【図４】
2014069819.tif 000006
【図５】
2014069819.tif 000007
【図６】
2014069819.tif 000008